(57)【要約】【課題】リモコン送信器に取り付けられたセンサによって赤外信号送信部の出力を増減し、電池寿命を延ばすことが可能な扇風機用リモコン送信器を提供する。【解決手段】赤外線信号を送信する信号送信部８と、前記赤外線信号の送信出力を可変可能な出力可変部１６と、前記赤外線信号の送信要求を受け付けるスイッチ入力部と、重力を検出する検出部１４と、前記スイッチ入力部が前記送信要求を受け付けると、検出部１４の検出結果に基づいて、前記赤外線信号の送信出力を出力可変部１６で増減し、前記赤外線信号の送信を行う制御部１５を備えたリモコン送信器６を有することにより、リモコン送信器６の電池寿命を延ばすことが可能な扇風機を得られる。【選択図】図１
2014145296.tif 000002
【特許請求の範囲】
【請求項１】
赤外線信号を送信する信号送信部と、前記赤外線信号の送信出力を可変可能な出力可変部と、前記赤外線信号の送信要求を受け付けるスイッチ入力部と、スイッチ入力部を設けたリモコン操作部の面に垂直な方向に作用する重力を検出する検出部と、前記スイッチ入力部が前記送信要求を受け付けると、前記検出部の検出結果に基づいて、前記赤外線信号の送信出力を前記出力可変部で増減し、前記赤外線信号の送信を行う制御部を備えたリモコン送信器を有することを特徴とする扇風機。
【請求項２】
前記検出部の検出結果が安定していないときは、前記赤外線信号の送信出力を増加させることを判断して出力可変部に作用する選択判断手段を制御部に備えたリモコン送信器を有する請求項１記載の扇風機。
【請求項３】
前記赤外線信号の送信要求を受け付けるスイッチ入力部が操作されてから所定の時間経過後に、前記検出部の検出結果を参照する遅延トリガ手段を制御部に備えたリモコン送信器を有する請求項１または２記載の扇風機。
【発明の詳細な説明】
【技術分野】
【０００１】
この発明は、電池やバッテリーを電源とし、ワイヤレスで信号を送信するリモコン装置を備えた扇風機に関する。
【背景技術】
【０００２】
従来、テレビやエアコンや照明器具、トイレ等の家電機器の動作を遠隔制御するリモコン送信器において、リモコン送信器から送信される赤外線信号を遠く離れた対象の受信部に到達させるために、リモコン送信器に設けられた赤外線信号送信部の発光出力を上げているのが一般的である。そのため、対象の受信部とリモコン送信器との距離が近接した状態においても、赤外発光出力が高い状態を維持するため、無駄な消費となり、それが電池寿命にも著しく影響を与える。
【０００３】
そこで、リモコン送信器と受信部を備えた機器本体が装着可能な機器では、機器本体にリモコン送信器が装着された際は、第１の送信部より赤外線送信出力を小さく設定した第２の送信部を使用することで、電池の消耗を減らしたことを特徴としたリモコン送信器（例えば、特許文献１参照）がある。
【先行技術文献】
【特許文献】
【０００４】
【特許文献１】特開平９―８４１４４号公報
【発明の概要】
【発明が解決しようとする課題】
【０００５】
しかしながら、特許文献１のリモコン送信器は、リモコン送信器が受信部を備えた機器本体に装着されたことを検知する電極部をリモコン送信機に２箇所設け、また機器本体側には２つの電極間を遮り、検出部を働かせるための突起を設けている。そのために、リモコン送信器は２つの電極部分と突起を受け入れるための空間と、本体機器側にも大型化されたリモコンを受け入れる空間確保が必要となる。またリモコン送信器には送信部を２つ設ける必要があることから、さらに大型化せざるを得ないという課題があり、扇風機のようにリモコン送信器を装着するスペースが少ない機器には不向きである。
【０００６】
この発明は、上記のような課題を解決するためになされたものであり、この発明の目的は、使用者がリモコン送信器を手に持って操作したか、もしくは本体に装着して操作したかリモコン送信器単体で判断し、赤外信号送信部の出力を増減し、電池寿命を延ばすことが可能なリモコン送信器を備えた扇風機を提供することである。
【課題を解決するための手段】
【０００７】
赤外線信号を送信する信号送信部と、前記赤外線信号の送信出力を可変可能な出力可変部と、前記赤外線信号の送信要求を受け付けるスイッチ入力部と、スイッチ入力部を設けたリモコン操作部の面に垂直な方向に作用する重力を検出する検出部と、前記スイッチ入力部が前記送信要求を受け付けると、前記検出部の検出結果に基づいて、前記赤外線信号の送信出力を前記出力可変部で増減し、前記赤外線信号の送信を行う制御部を備えたリモコン送信器を有する扇風機を構成したものである。
【０００８】
この手段により、前記検出部の検出結果により使用者がリモコンをどのような状態で操作しているかをリモコン送信器単体で把握することができるとともに、その状態に応じて信号出力を加減することでリモコン機器の電池寿命を延ばすことが可能な扇風機を得られる。
【発明の効果】
【０００９】
本発明によれば、赤外線信号を送信する信号送信部と、前記赤外線信号の送信出力を可変可能な出力可変部と、前記赤外線信号の送信要求を受け付けるスイッチ入力部と、スイッチ入力部を設けたリモコン操作部の面に垂直な方向に作用する重力を検出する検出部と、前記スイッチ入力部が前記送信要求を受け付けると、前記検出部の検出結果に基づいて、前記赤外線信号の送信出力を前記出力可変部で増減し、前記赤外線信号の送信を行う制御部を備えたリモコン送信器を有する扇風機を構成したもので、前記検出部の検出結果により使用者がリモコン送信器をどのような状態で操作しているかをリモコン送信器単体で把握することができるとともに、リモコン送信器と本体機器が近接しているときは信号出力を減少させることにより、電池の無駄な消費を減らすことができるという効果を提供できる。
【図面の簡単な説明】
【００１０】
【図１】本発明の実施の形態１における扇風機の構成図
【図２】本発明の実施の形態１における扇風機のリモコン送信器に関する構成図
【図３】本発明の実施の形態１における扇風機のリモコン送信器取り付け構造に関する構成図
【図４】本発明の実施の形態１における扇風機のリモコン送信器の回路図
【図５】本発明の実施の形態１における扇風機のリモコン送信器の傾斜角度θから加速度を検出する方法を示す図（（ａ）リモコン送信器を水平においた場合の図、（ｂ）リモコン送信器を傾けておいた場合の図）
【図６】本発明の実施の形態１における扇風機のリモコン送信器の傾斜角度θの換算方法を示す図
【図７】本発明の実施の形態１における扇風機のリモコン送信器の状態判断手段フローチャート
【図８】本発明の実施の形態１における扇風機のリモコン送信器の取り付け判定方法その１を示す図
【図９】本発明の実施の形態１における扇風機のリモコン送信器の取り付け判定方法その２を示す図
【発明を実施するための形態】
【００１１】
本発明の請求項１記載の扇風機は、赤外線信号を送信する信号送信部と、前記赤外線信号の送信出力を可変可能な出力可変部と、前記赤外線信号の送信要求を受け付けるスイッチ入力部と、スイッチ入力部を設けたリモコン操作部の面に垂直な方向に作用する重力を検出する検出部と、前記スイッチ入力部が前記送信要求を受け付けると、前記検出部の検出結果に基づいて、前記赤外線信号の送信出力を前記出力可変部で増減し、前記赤外線信号の送信を行う制御部を備えたリモコン送信器を有するものである。
【００１２】
これにより、リモコン送信器に設けた検出部でリモコン送信部の設置状態が確認できるとともに、その設置状況に応じた信号出力を選択することできるという作用を有し、リモコン送信器と本体機器が近接しているときは信号出力を減少させることにより、電池の無駄な消費を減らすことができる。
【００１３】
また、本発明の請求項２記載の扇風機は、前記検出部の検出結果が安定していないときは、前記赤外線信号の送信出力を増加させることを判断して出力可変部に作用する選択判断手段を制御部に備えたリモコン送信器を有するものある。
【００１４】
これにより、選択判断手段は、検出部の検出結果が安定していないときは出力可変部に作用してリモコン送信部の出力を増加させ、信号送受信を確実に成功させるという作用を有し、使用者がリモコン送信器を手に持って操作している場合は検出部の検出結果が安定しないので、リモコン送信部の出力を増加させ、遠くまで信号を伝達させることができる。
【００１５】
また、本発明の請求項３記載の扇風機は、前記赤外線信号の送信要求を受け付けるスイッチ入力部が操作されてから所定の時間経過後に、前記検出部の検出結果を参照する遅延トリガ手段を制御部に備えたリモコン送信器を有するものである。
【００１６】
これにより、遅延トリガ手段は、スイッチ入力部が操作された直後の所定の時間は判定を行わないこととなるので、振動や応力によって検出部の検出結果が安定しない間の加速度の作用による誤検出をふせぐ作用を有し、設置状況を正確に把握できる。
【００１７】
以下、本発明の実施の形態について図面を参照しながら説明する。
【００１８】
（実施の形態１）
図１および図２に示すように、ファンモータ１を支持する支柱２および基台３からなる本体４と、この本体４にはリモコン送信器６を収納するリモコンホルダー７と、赤外線透過フィルターが組み込まれた信号受信部５と、赤外線受光ユニット１２を搭載しかつ赤外線受光ユニット１２で受信する赤外線信号に基づいてファンモータ１の制御を行う本体操作基板１３を備えている。また、リモコン送信器６のリモコン操作部９にはスイッチ入力部としてファンモータ１の風量を弱、中、強と順おくりで調整する風量調整スイッチ１０と、ファンモータ１を停止状態にするための切スイッチ１１と、１時間、２時間、４時間と順おくりでタイマーを調整するタイマスイッチ１８を備えている。また、それらのスイッチによってリモコン送信器６が操作命令を受け付けた際には、その命令に応じた赤外線信号を発信するための信号送信部８をリモコン送信器６の先端部に備えている。
【００１９】
ここで、リモコン送信器６は電池やバッテリー式のワイヤレスリモコンとし、使用者が本体４から取り外した状態でも使用可能である。また、図３に示すように、リモコン送信器６がリモコンホルダー７に収納されている状態では、信号送信部８と信号受信部５は近接して対面し、信号送信部８から送信される信号は信号受信部５を経由して本体４内部の赤外線受光ユニット１２へ伝達される構成である。
【００２０】
次に、本実施の形態１のリモコン送信器６の回路構成について図４を用いて説明する。
【００２１】
バッテリーＥ１は、両端間に平滑用の電解コンデンサＣ１が接続されリモコン送信器６の電源部を構成し、コンデンサＣ２の両端は制御部１５の入力端子と検出部１４の入力電源端子Ｖｄｄ，Ｇｎｄに接続されている。ここで制御部１５は、ＣＰＵ（中央演算処理装置）とメモリとタイマーとコンパレータとを具備するマイクロコンピュータを用いて構成するものであり、コンデンサＣ２から電源供給されることで駆動するものである。
【００２２】
また検出部１４は後述するリモコン送信器６のスイッチ入力部を設けたリモコン操作部９の面に垂直な方向に作用する重力ｇ´を図５のｚ軸方向として検出するもので、出力端子ｘ、ｙ、ｚが制御部１５の入力端子に接続され、重力ｇ´に応じた検出電圧を制御部１５に出力するものである。
【００２３】
バッテリーＥ１と並列に接続されたトランジスタＱ２と抵抗Ｒ２と赤外ＬＥＤ１からなる赤外光出力部１７はトランジスタＱ２ベースが制御部１５の出力端子に接続することで、制御部１５によって駆動可能な構成としている。また同じくバッテリーＥ１と並列に接続された抵抗Ｒ１とトランジスタＱ１からなる出力可変部１６はトランジスタＱ１のベースが制御部１５の出力端子に接続することで、同じく制御部１５によって駆動可能な構成としている。
【００２４】
また、制御部１５の入力端子とバッテリーＥ１との負極間には、抵抗Ｒ３とボタンスイッチ１９との直列回路および、抵抗Ｒ４とボタンスイッチ２０との直列回路および抵抗Ｒ５とボタンスイッチ２１との直列回路を接続している。
【００２５】
ここでボタンスイッチ１９は風量調整スイッチ１０と連動、ボタンスイッチ２０は切スイッチ１１と連動、ボタンスイッチ２１はタイマスイッチ１８の操作入力に連動してスイッチ入力が行われるものである。
【００２６】
さらに制御部１５は、ボタンスイッチが操作されることによって抵抗Ｒ３、Ｒ４、Ｒ５に流れる電流を監視しており、電流が流れていないときはＣＰＵの動作の停止と内部クロックの逓倍率を落とし、低消費電力状態（以下、スリープモード）を維持するものである。
【００２７】
次にリモコン操作部９の面に垂直な方向に作用する重力ｇ´の検出方法について図５、図６を用いて説明する。
【００２８】
図５に示すように、重力をｇとおき、リモコン送信器６を対地に対して水平にしかつリモコン操作部９を天向きにしたときの垂直方向（Ｚ軸）からの傾斜角度θを０°とすると、リモコン送信器６を角度θだけ傾斜させたときのＺ軸方向への重力加速度ｇ´はｇ´＝ｇｃｏｓθで表すことができる。またθを可変したときの  Ｚ軸方向の重力ｇ´とその電圧変換出力は図６のように定義することができる。
【００２９】
ここで、リモコン送信器６が本体４のリモコンホルダー７に収納されたときのリモコン送信器６の傾斜角度θを６０°とすると、Ｚ軸方向の重力は０．５ｇとなり、検出部１４からの出力端子ｚからは２．０Ｖが出力されて制御部１５へ入力される。
【００３０】
このとき制御部１５では出力端子ｚから出力された電圧をＡ／Ｄ変換して取り込み、あらかじめ記憶された傾斜θに対応したデジタルデータと比較を行うことで、リモコン送信器６が扇風機本体にとりつけられているかどうかを割り出すことが可能となる。本実施の形態１のリモコン送信器６においては、制御部１５の入力端子は１６ｂｉｔによるＡ／Ｄ変換が行われ、リモコン送信器６の傾斜角度θが６０°のときを０ｘ２ＡＡ±３ｂｉｔとして判定するものとである。
【００３１】
本実施の形態１の特徴としては、制御部１５はリモコン送信器６が本体４のリモコンホルダー７に収納されているかどうかをこのリモコン送信器６に加わる重力ｇ´の検出原理を用いて判定し、その判定結果に基づいて出力可変部１６を用いて、赤外信号の発光強度の増減を行うものとする。
【００３２】
また、制御部１５には、リモコン送信器６が本体４のリモコンホルダー７に収納されているかどうかの１次判定と、１次判定の５０ｍｓ後に２時判定を行い、前記検出部１４の検出結果が安定していないときは、前記赤外線信号の送信出力を増加させることを判断して出力可変部に作用する選択判断手段２２を備えている。
【００３３】
また、使用者がリモコン操作部９に触れた後に前記１次判定によるリモコン送信器６が本体４のリモコンホルダー７に収納されているかどうか判定する前に１００ｍｓのタイマーが働きディレイトリガを行う遅延トリガ手段２３を備えている。
【００３４】
選択判断手段２２は、遅延トリガ手段２３のディレイトリガによって動作を開始するものである。
【００３５】
本特徴について詳細を図７に示すフローチャートを用いて説明する。
【００３６】
上記構成において、制御部１５は通常はバッテリーＥ１の節電目的のため、ボタンスイッチが操作されていない状態でスリープモード状態にある。
【００３７】
次に、リモコン操作部９が操作されて信号の送信要求があった場合は、制御部１５はスリープモードからアクティブモードに切り替わり、かつ検出部１４からの出力電圧を基にリモコン送信器６がリモコンホルダー７に収納されているかどうかを判断する。
【００３８】
ここで、制御部１５では図８に示すように使用者がリモコン操作部９に触れた後に遅延トリガ手段２３が１００ｍｓのタイマーを働かせディレイトリガを行う。制御部１５では遅延トリガ手段２３がディレイトリガを行うことで、使用者がリモコン操作部９に触れたことに起因する機械的な振動が収まるまで待機することが可能となる。また１００ｍｓ経過後には選択判断手段２２はリモコン送信器６がリモコンホルダー７収納されているかどうかの１次判定を、さらにその５０ｍｓ後に２時判定を行う。選択判断手段２２ではリモコン送信器６が本体４のリモコンホルダー７に収納されたときの検出部１４の出力を０ｘ２ＡＡ±３ｂｉｔとしているので、検出部１４からの入力が０ｘ２ＡＡ±３ｂｉｔではない場合や、使用者が手に持った状態では検出部１４からの入力が安定せずに例えば図９に示すように変動していると２次判定で判定した場合は、制御部１５はリモコン送信器６がリモコンホルダー７に収納されていないと判定を行う。
【００３９】
そして、制御部１５では選択判断手段２２は、リモコン送信器６がリモコンホルダー７に収納されていないと判断した場合、まずは出力可変部１６のトランジスタＱ１をオンさせ、その５０ｍｓ後に赤外光出力部１７のＱ２によって赤外ＬＥＤ１を発光させて使用者の要求に応じた信号を発信する。このとき抵抗Ｒ１の抵抗値は２Ω以下の低抵抗を用いており、赤外ＬＥＤ１に流れる電流を大きくして発光強度を強くする。そして信号送信後はＱ１をオフし、次の信号の送信要求があるまで制御部１５はスリープモードへ戻る。
【００４０】
また、制御部１５では選択判断手段２２は、リモコン送信器６が収納されていると判断した場合、赤外光出力部１７のトランジスタＱ２のみで赤外ＬＥＤ１を発光し、使用者の要求に応じた信号を発信する。このとき抵抗Ｒ２の抵抗値は５００Ω以上の高抵抗を用いており、赤外ＬＥＤ１に流れる電流を小さくして発光強度を弱くする。このとき、信号送信部８と信号受信部５は近接して対向した構成であるため、信号送信部８からの微弱な赤外線信号であってもその信号は確実に信号受信部５を経由して本体４内部の赤外線受光ユニット１２へ伝達され、ファンモータ１の操作が行われる。
【００４１】
以上の動作のように、本実施の形態１の発明は、リモコン送信器６が本体４のリモコンホルダー７に収納されているときには、信号送信部８と信号受信部５を対向させているので、リモコン送信器６から微弱な赤外線信号を発信してもその信号は確実に信号受信部５を経由して内部の赤外線受光ユニット１２へ伝達される。またリモコン送信器６において、リモコン送信器６の回路に組み込まれた制御部１５では検出部１４によって検出する重力ｇ´をもとにリモコン送信器６が本体４のリモコンホルダー７に収納されているかどうかを選択判断手段２２にて判定し、収納されていると判断したときは、赤外ＬＥＤ１に流れる電流値を小さくして信号を送信し、バッテリーＥ１の電流消費を抑えることで、バッテリーＥ１の寿命を長くすることを特徴とするものである。
【産業上の利用可能性】
【００４２】
本発明のリモコン機器は、リモコン送信器とその操作の対象となる機器に取り付けることで効果を発するものであり、家庭のトイレやエアコン、ホテルや食堂などの業務用の用途にも適用できる。
【符号の説明】
【００４３】
１    ファンモータ
２    支柱
３    基台
４    本体
５    信号受信部
６    リモコン送信器
７    リモコンホルダー
８    信号送信部
９    リモコン操作部
１０  風量調整スイッチ
１１  切スイッチ
１２  赤外線受光ユニット
１３  本体操作基板
１４  検出部
１５  制御部
１６  出力可変部
１７  赤外光出力部
１８  タイマスイッチ
１９  ボタンスイッチ
２０  ボタンスイッチ
２１  ボタンスイッチ
２２  選択判断手段
２３  遅延トリガ手段
【図１】
2014145296.tif 000003
【図２】
2014145296.tif 000004
【図３】
2014145296.tif 000005
【図４】
2014145296.tif 000006
【図５】
2014145296.tif 000007
【図６】
2014145296.tif 000008
【図７】
2014145296.tif 000009
【図８】
2014145296.tif 000010
【図９】
2014145296.tif 000011